(57)【要約】  外科手術システムは、主外科手術ユニット（２０５）と、主外科手術ユニットと通信するディスプレイ（２１０）と、ディスプレイが主外科手術ユニットから取り外された時ディスプレイを受け入れるための受け台（３００）とを含む。ディスプレイを手術室の滅菌野内に配置でき、主外科手術ユニットを手術室の滅菌野の外に配置できるように、ディスプレイは主外科手術ユニットから取り外せる。
2009545398.tif 000002
【特許請求の範囲】
【請求項１】
外科手術システムであって、
主外科手術ユニットと、
前記主外科手術ユニットと通信するディスプレイとを備え、
その際、前記ディスプレイを手術室の滅菌野内に配置でき、前記主外科手術ユニットを前記手術室の前記滅菌野の外に配置できるように、前記ディスプレイが前記主外科手術ユニットから取り外せる外科手術システム。
【請求項２】
前記ディスプレイが前記主外科手術ユニットと無線通信する、請求項１に記載のシステム。
【請求項３】
前記ディスプレイが、ケーブルを介して、前記主外科手術ユニットと通信する、請求項１に記載のシステム。
【請求項４】
前記ディスプレイが、ブルートゥース信号を介して、前記主外科手術ユニットと通信する、請求項１に記載のシステム。
【請求項５】
前記ディスプレイが、赤外線信号を介して、前記主外科手術ユニットと通信する、請求項１に記載のシステム。
【請求項６】
前記ディスプレイがタッチスクリーンディスプレイである、請求項１に記載のシステム。
【請求項７】
前記外科ユニットがさらに、前記ディスプレイと結合するようになった第１のコネクタを備える、請求項１に記載のシステム。
【請求項８】
外科手術システムであって、
主外科手術ユニットと、
着脱式ディスプレイと、
前記ディスプレイが前記主外科手術ユニットから取り外された時前記ディスプレイを受け入れるための受け台とを備え、
その際、前記ディスプレイおよび前記受け台を手術室の滅菌野内に配置でき、前記主外科手術ユニットを前記手術室の前記滅菌野の外に配置できるように、前記ディスプレイが前記主外科手術ユニットから取り外せる外科手術システム。
【請求項９】
前記受け台が前記主外科手術ユニットと無線で通信する、請求項８に記載のシステム。
【請求項１０】
前記受け台がケーブルを介して前記主外科手術ユニットと通信する、請求項８に記載のシステム。
【請求項１１】
前記受け台がブルートゥース信号を介して前記主外科手術ユニットと通信する、請求項８に記載のシステム。
【請求項１２】
前記受け台が赤外線信号を介して前記主外科手術ユニットと通信する、請求項８に記載のシステム。
【請求項１３】
前記ディスプレイがタッチスクリーンディスプレイである、請求項８に記載のシステム。
【請求項１４】
前記主外科手術ユニットがさらに、前記ディスプレイと結合するようになった第１のコネクタを備え、前記受け台がさらに、前記ディスプレイと結合するようになった第２のコネクタを備える、請求項８に記載のシステム。
【請求項１５】
外科手術システムであって、
第１の信号を受信するための第１のコネクタの付いた主外科手術ユニットであって、前記主外科手術ユニットが外科手術手順を実行するようになっている主外科手術ユニットと、
前記主外科手術ユニットから取り外せるタッチスクリーンディスプレイであって、前記タッチスクリーンディスプレイが前記第１のコネクタと結合するようになっており、前記第１のコネクタと結合した時、前記タッチスクリーンディスプレイが前記第１のコネクタを介して前記第１の信号を前記主外科手術ユニットに送信するタッチスクリーンディスプレイと、
前記タッチスクリーンディスプレイが前記主外科手術ユニットから取り外された時前記タッチスクリーンディスプレイを受け入れるための受け台であって、前記受け台が第２の信号を受信するための第２のコネクタを有し、前記タッチスクリーンディスプレイが前記第２のコネクタを介して前記受け台に結合した時、前記タッチスクリーンディスプレイが前記第２のコネクタを通じて第２の信号を前記受け台に送信し、前記受け台が前記第２の信号を前記主外科手術ユニットに送信する受け台とを備え、
その際、前記タッチスクリーンディスプレイおよび前記受け台を手術室の滅菌野内に配置でき、前記主外科手術ユニットを前記手術室の前記滅菌野の外に配置できるように、前記タッチスクリーンディスプレイが前記主外科手術ユニットから取り外せる外科手術システム。
【請求項１６】
前記受け台が前記主外科手術ユニットと無線で通信する、請求項１５に記載のシステム。
【発明の詳細な説明】
【技術分野】
【０００１】
本発明は外科手術機械に関し、特に、手術室内の滅菌野の完全性の保持を可能にする着脱式ディスプレイ付き外科手術機械に関する。
【背景技術】
【０００２】
手術室内の滅菌空間の必要性は周知である。通常の手術室では、患者の周囲の領域は滅菌されていなければならない。この領域を滅菌野と呼ぶ。滅菌野内に設置した全ての外科手術機器は手術の間中滅菌状態にあることが重要である。滅菌野の外の領域は、滅菌する必要のない、外科手術機器を含む品目を収容する。
【０００３】
多くの外科手術は多数の外科手術機器を必要とする。こうした機器、またはその部品は、滅菌野内に配置する場合滅菌しなければならない。もっとも一般的には、機器は滅菌野内に配置する場合滅菌プラスチックで被覆する。代替的には、外科手術用ハンドピースのような機器の一部を滅菌野内に配置し、機器のその他の部分は滅菌野の外に配置する。そして、滅菌野内に配置されていない機器の部分を操作するためリモートコントロールを提供してもよい。
【０００４】
大部分の電子外科手術機械は、医師による機械の制御を可能にするユーザインタフェースを有する。こうしたユーザインタフェースは最新のタッチスクリーンディスプレイ技術を組み込んでいることもある。タッチスクリーンディスプレイを使用すると、医師は、機械の動作状況に関する情報を受信することができる。また、タッチスクリーンディスプレイは、簡単かつ直接的なやり方で医師からの命令を受信することができる。タッチスクリーンディスプレイが提供するユーザインタフェースは直感的かつロバストで、外科手術を実行する効率的な方法を医師に提供する。
【０００５】
特に、眼科手術は、関連するワークピースの付いたコンソールの形態の複雑な外科手術機械を必要とすることが多い。この機器は普通コンピュータ制御であり非常に精巧である。タッチスクリーンディスプレイは、機器の機能状態に関する重要な情報を医師に提供するために利用されることが多い。また、この同じタッチスクリーンディスプレイは、外科手術中に機器を制御する医師からの入力を受信してもよい。したがって、医師がディスプレイを見て適切な制御コマンドを入力できるように、機器を医師の近くに配置することができる。
【０００６】
図１は、従来の外科手術機械の例である。外科手術機械１００は主外科手術コンソール１０５と一体型ディスプレイ１１０とを有する。この構成では、一体型ディスプレイ１１０は主外科手術コンソール１０５から取り外すことができない。手術中に使用する時は、手術室内の衛生状態を維持するため、外科手術機械１００全体を滅菌野の外に設置しなければならない。代替的には、外科手術機械１００は、滅菌野内に設置できるように、滅菌プラスチックで囲ってもよい。このようにして、滅菌野を滅菌状態に保持することができ、外科医は外科手術機械１００にアクセスすることができる。
【０００７】
外科手術機械は手術室内に配置するため、滅菌環境を維持することが重要である。外科手術機械を滅菌野内に配置できるように全体を被覆することは煩雑なことがある。しかし、機械の制御装置を医師の近くに置くためにはこれは必要かもしれない。別の代替案は医師にリモートコントロール装置を提供することである。機械を滅菌野の外に配置したまま、このリモートコントロール装置を使用して機械の操作を行うことができる。しかし、こうしたリモートコントロール装置は、フル装備のタッチスクリーンディスプレイほどロバストでないことがある。機器の残りの部分を滅菌野の外に配置したまま滅菌野内にタッチスクリーンディスプレイを配置することが望ましい。
【発明の概要】
【０００８】
本発明の原理と一致した一実施形態では、本発明は、主外科手術ユニットと、主外科手術ユニットと通信するディスプレイとを有する外科手術システムである。ディスプレイを手術室の滅菌野内に配置でき、主外科手術ユニットを手術室の滅菌野の外に配置できるように、ディスプレイは主外科手術ユニットから取り外せる。
【０００９】
本発明の原理と一致した別の実施形態では、本発明は、主外科手術ユニットと、主外科手術ユニットと通信するディスプレイと、ディスプレイが主外科手術ユニットから取り外された時ディスプレイを受け入れるための受け台とを有する外科手術システムである。ディスプレイを手術手術室の滅菌野内に配置でき、主外科手術ユニットを手術室の滅菌野の外に配置できるように、ディスプレイは主外科手術ユニットから取り外せる。
【００１０】
本発明の原理と一致した別の実施形態では、本発明は、主外科手術ユニットと、タッチスクリーンディスプレイと、受け台とを有する外科手術システムである。主外科手術ユニットは外科手術手順を実行することができ、第１の信号を受信するための第１のコネクタを有する。タッチスクリーンディスプレイは主外科手術ユニットから取り外すことができ、主外科手術ユニットに配置された第１のコネクタと結合するようになっている。ディスプレイが第１のコネクタと結合した時、ディスプレイは第１のコネクタを介して主外科手術ユニットに信号を送信することができる。タッチスクリーンディスプレイが主外科手術ユニットから取り外された時、受け台はタッチスクリーンディスプレイを受け入れることができる。また、受け台は第２の信号を受信するための第２のコネクタを有する。タッチスクリーンディスプレイが第２のコネクタを介して受け台に結合した時、タッチスクリーンディスプレイは第２のコネクタを通じて信号を受け台に送信することができる。タッチスクリーンディスプレイおよび受け台を手術室の滅菌野内に配置でき、主外科手術ユニットを手術室の滅菌野の外に配置できるように、タッチスクリーンディスプレイディスプレイは主外科手術ユニットから取り外せる。
【００１１】
上記の一般的な説明と以下の詳細な説明はどちらも例示および説明のためのものに過ぎず、特許請求される本発明のさらなる説明を提供することが意図されているのが理解されるだろう。以下の説明、ならびに本発明の実施は、本発明のさらなる利点および目的を記載し説明する。
【００１２】
添付の図面は、本明細書に組み込まれその一部を構成するものであって、本発明の種々の実施形態を例示し、以下の記載と共に、本発明の原理を説明する役目を果たす。
【図面の簡単な説明】
【００１３】
【図１】従来の外科手術機械の透視図である。
【図２】本発明の実施形態に係る着脱式ディスプレイ付き外科手術機械の透視図である。
【図３】本発明の実施形態に係る着脱式ディスプレイ付き外科手術機械および受け台の透視図である。
【図４】本発明の実施形態に係る着脱式ディスプレイ付き外科手術機械および受け台の透視図である。
【図５】本発明の実施形態に係る手術室内で使用される着脱式ディスプレイ付き外科手術機械の例示である。
【発明を実施するための形態】
【００１４】
ここで、添付の図面中にその例が示される、本発明の例示実施形態を詳細に参照する。可能な限り、全図を通じて同一または類似の構成要素を指す場合同一の参照番号を使用する。
【００１５】
図２は、本発明の実施形態に係る着脱式ディスプレイ付き外科手術機械の透視図である。外科手術機械２００は、主外科手術ユニット２０５と着脱式ディスプレイ２１０とを備える。この構成では、着脱式ディスプレイ２１０を主外科手術ユニット２０５から取り外すことができる。着脱式ディスプレイ２１０は、主コネクタ２１５を介して主外科手術ユニット２０５と対になって結合する。両者が結合した時、主コネクタ２１５は着脱式ディスプレイ２１０が主外科手術ユニット２０５と通信することを可能にする。着脱式ディスプレイ２１０が主外科手術ユニット２０５に接続された時、主コネクタ２１５は主外科手術ユニット２０５と着脱式ディスプレイ２１０との間の信号の伝達を可能にする。
【００１６】
着脱式ディスプレイ２１０は外科手術機械に関する情報を医師に伝達する。例えば、眼科手術では、着脱式ディスプレイ２１０は白内障または網膜の手術機械の動作状態に関する情報を表示する。着脱式ディスプレイ２１０は一般に、温度または流体圧力といった機能的パラメータを表示する。また、着脱式ディスプレイは、眼科手術の間に実行される様々なステップを表示してもよい。
【００１７】
本発明の一実施形態では、着脱式ディスプレイ２１０はタッチスクリーンディスプレイである。タッチスクリーンディスプレイでは、ユーザはディスプレイの画面に触れることによってコマンドを入力することができる。例えば、医師は、着脱式ディスプレイ２１０の画面上に表示された「開始」アイコンに触れることによって、手順を開始することができる。このようにして、着脱式ディスプレイ２１０は、着脱式ディスプレイ２１０の画面上の医師の指の圧力を感知することによって、（医師が手順を開始したいという）制御入力を受信する。すると、外科手術機械２００は制御入力に応答する。
【００１８】
本発明の他の実施形態では、着脱式ディスプレイ２１０は液晶ディスプレイ（ＬＣＤ）、プラズマディスプレイ、または他のフラットパネルディスプレイである。この場合、着脱式ディスプレイは外科手術機械の機能または動作自体の状態に関する情報を医師に提供することができる。例えば、着脱式ディスプレイ２１０は、動作の何らかのステップの完了に関する情報を表示してもよい。
【００１９】
本発明の一実施形態では、主外科手術ユニット２０５は、コンピュータ、制御回路、および外科手術手順を実行するために使用する他の機械装置（図示せず）を含む。外科手術用ハンドピースのような他の外科手術装置を、主外科手術ユニット２０５の前面パネル２２０に接続することができる。主外科手術ユニット２０５は、着脱式ディスプレイ２１０に情報を送信するコンピュータおよび制御回路を収容する。このようにして、主外科手術ユニット２０５は、着脱式ディスプレイ２１０上に表示される情報を制御する。また、着脱式ディスプレイ２１０がタッチスクリーンディスプレイである時、主外科手術ユニット２０５に収容されたコンピュータおよび制御回路は、着脱式ディスプレイ２１０に入力された任意のコマンドにも応答する。
【００２０】
図３は、着脱式ディスプレイ２１０を受け入れるための受け台３００を利用する本発明の実施形態を示す。この実施形態では、着脱式ディスプレイ２１０は、主外科手術ユニット２０５から取り外して受け台３００に設置する。受け台３００は、受け台コネクタ３０５を介して着脱式ディスプレイ２１０と対になって接続するようになっている。主コネクタ２１５と同様に、受け台コネクタ３０５は着脱式ディスプレイ２１０が主外科手術ユニット２０５と通信することを可能にする。着脱式ディスプレイ２１０が受け台３００に接続された時、受け台コネクタ２１５は主外科手術ユニット２０５と着脱式ディスプレイ２１０との間の信号の伝達を可能にする。また、受け台３００はその前面３１０に制御またはインタフェースの機能を有してもよい。
【００２１】
本発明の一実施形態では、受け台３００はケーブル３１５を介して主外科手術ユニット２０５に接続する。ケーブル３１５は受け台３００と主外科手術ユニット２０５との間の信号の伝達を可能にする。このようにして、主外科手術ユニット２０５は、ケーブル３１５、受け台３００、および受け台コネクタ３０５を介して着脱式ディスプレイ２１０上に表示すべき情報を送信することができる。例えば、外科手術用ハンドピースの温度に関する情報を、主外科手術ユニット２０５から、ケーブル３１５を通じて、受け台３００に送信し、受け台コネクタ３０５を通じて、着脱式ディスプレイ２１０に送信することができる。同様に、着脱式ディスプレイ２１０がタッチスクリーンディスプレイである時、医師が入力した制御入力は、着脱式ディスプレイ２１０から、受け台コネクタ３０５を通じて、受け台３１０に進み、ケーブル３１５を通じて、主外科手術ユニット２０５に進む。
【００２２】
図４に示す本発明の別の実施形態では、ケーブル３１５は存在しない。この構成では、主外科手術ユニット２０５と受け台３００との間に無線接続４０５が確立される。例えば、主外科手術ユニット２０５と受け台３００との両者はブルートゥースが使用できるようにしてもよい。このようにして、ブルートゥースプロトコルを利用して、受け台３００と主外科手術ユニット２０５との間の空間を通じて信号が伝達される。また、主外科手術ユニット２０５は、赤外線（ＩＲ）信号または任意の他の無線プロトコルを使用して受け台３００と通信してもよい。手術室内の他の機器と干渉しない無線通信プロトコルを選択するように注意する必要がある。
【００２３】
図３および図４を参照すると、受け台３００の通信機能は着脱式ディスプレイ２１０に組み込んでもよい。この構成では、受け台３００は存在しない。その代わり、着脱式ディスプレイ２１０は、着脱式ディスプレイ２１０が主外科手術ユニット２０５から取り外された時主外科手術ユニット２０５と通信するために必要な全ての機能を含む。例えば、着脱式ディスプレイ２１０は、主外科手術ユニット２０５から取り外してテーブルの上に設置することもできる。そして、着脱式ディスプレイ２１０と主外科手術ユニット２０５とは、上記で説明したように、ケーブル３１５経由または無線で通信することができる。
【００２４】
図５は手術室環境での主外科手術ユニット２０５、着脱式ディスプレイ２１０、およびオプションの受け台３００を示す。着脱式ディスプレイ２１０は受け台３００に収容されている。ディスプレイ２１０および受け台３００の両者は滅菌野５００内にある。主外科手術ユニット２０５は滅菌野５００内にない。手術室内の滅菌野の完全性を維持するため、滅菌野に入るものは全て滅菌しなければならない。鉗子およびメスといった金属製用具は、滅菌野内に置く前に、オートクレーブを使用して滅菌することができる。しかし、白内障または網膜の手術のために使用するもののような外科手術機械は滅菌することが困難である。その代わり、こうした外科手術機械は、滅菌プラスチックで被覆して滅菌野内に持ち込むことができる。
【００２５】
図５では、着脱式ディスプレイ２１０およびオプションの受け台３００はプラスチックで被覆して滅菌野５００の完全性を維持することができる。これによって、外科医は、着脱式ディスプレイ２１０上に表示された情報を見て、着脱式ディスプレイ２１０がタッチスクリーンディスプレイである時は着脱式ディスプレイ２１０と対話することができる。着脱式ディスプレイ２１０は外科医が手術している滅菌野５００内にあるので、外科医にとって着脱式ディスプレイ２１０との対話はより容易になる。さらに、プラスチックで被覆する必要があるのは着脱式ディスプレイ２１０およびオプションの受け台３００だけである。主外科手術ユニット２０５は被覆せず、滅菌野の外に置いておくことができる。
【００２６】
上記から、本発明は手術室内の滅菌野の完全性を維持するための改善された機械および方法を提供することが認識されるだろう。本発明によって、外科医は、機械全体を滅菌野内に設置する必要なしに、外科手術機械の全機能を便利に利用することができる。本出願では本発明を一例として例示しているのであって、当業者は様々な修正を行うことができるだろう。
【００２７】
本発明の他の実施形態は、本出願で開示された本発明の明細書および実施を検討することから当業者に明らかになるだろう。本明細書および実施例は例示のみと見なされるべきであり、本発明の真の範囲および精神は以下の請求項によって示されることが意図される。
【図１】
2009545398.tif 000003
【図２】
2009545398.tif 000004
【図３】
2009545398.tif 000005
【図４】
2009545398.tif 000006
【図５】
2009545398.tif 000007
【国際調査報告】
2009545398.tif 000008
2009545398.tif 000009
2009545398.tif 000010